【手続補正書】
【提出日】平成17年1月24日(2005.1.24)
【手続補正１】
【補正対象書類名】明細書
【補正対象項目名】特許請求の範囲
【補正方法】変更
【補正の内容】
【特許請求の範囲】
【請求項１】
少なくともフレーム内符号化画像、フレーム間順方向予測符号化画像、及びフレーム間双方向予測符号化画像を含む入力画像信号を、直交変換と動き予測補償処理とにより符号化し、画像圧縮情報を生成する画像情報符号化装置において、
上記フレーム間順方向予測符号化画像とフレーム間双方向予測符号化画像とに対して異なる補間方法に基づいた動き予測補償処理を行う動き予測補償手段を備えており、
上記動き予測補償手段は、上記フレーム間順方向予測符号化画像に対して第１のフィルタを用いて動き予測補償処理を行い、上記フレーム間双方向予測符号化画像に対しては、上記第１のフィルタよりタップ数の少ない第２のフィルタ、若しくは線形内挿を用いて動き予測補償処理を行うこと
を特徴とする画像情報符号化装置。
【請求項２】
上記動き予測補償手段は、上記フレーム間双方向予測符号化画像に対する補間方法として、上記フレーム間順方向予測符号化画像よりも演算量及びメモリアクセス数が低減される方法を選択することを特徴とする請求項１記載の画像情報符号化装置。
【請求項３】
上記動き予測補償手段は、上記フレーム間順方向予測符号化画像と上記フレーム間双方向予測符号化画像とで、動き予測補償処理の画素精度が同等であることを特徴とする請求項１記載の画像情報符号化装置。
【請求項４】
上記動き予測補償手段は、上記フレーム間順方向予測符号化画像と上記フレーム間双方向予測符号化画像とで、異なる画素精度による動き予測補償処理が選択可能であることを特徴とする請求項１記載の画像情報符号化装置。
【請求項５】
上記動き予測補償手段は、１／４画素精度の動き予測補償を行うものであり、
上記フレーム間順方向予測符号化画像に対しては、
｛１，−５，２０，２０，−５，１｝／３２
という６タップのフィルタ係数を用いて１／２画素精度の補間処理を行い、生成された画素に基づいて、線形内挿により１／４画素精度の補間処理を行うことを特徴とする請求項１記載の画像情報符号化装置。
【請求項６】
上記動き予測補償手段は、上記フレーム間双方向予測符号化画像に対しては、線形内挿により１／４画素精度の動き予測補償処理を行うことを特徴とする請求項１記載の画像情報符号化装置。
【請求項７】
上記動き予測補償手段は、上記フレーム間順方向予測符号化画像に対しては１／４画素精度の動き予測補償処理を行い、上記フレーム間双方向予測符号化画像に対しては１／２画素精度の動き予測補償処理を行うことを特徴とする請求項４記載の画像情報符号化装置。
【請求項８】
上記フレーム間順方向予測符号化画像及び上記フレーム間双方向予測符号化画像のそれぞれに対して、動き予測補償処理の画素精度に関する情報が上記画像圧縮情報中のＲＴＰレイヤにおけるMotionResolutionフィールドに埋め込まれることを特徴とする請求項４記載の画像情報符号化装置。
【請求項９】
少なくともフレーム内符号化画像、フレーム間順方向予測符号化画像、及びフレーム間双方向予測符号化画像を含む入力画像信号を、直交変換と動き予測補償処理とにより符号化し、画像圧縮情報を生成する画像情報符号化方法において、
上記フレーム間順方向予測符号化画像とフレーム間双方向予測符号化画像とに対して異なる補間方法に基づいた動き予測補償処理を行う動き予測補償ステップを有しており、
上記動き予測補償ステップは、上記フレーム間順方向予測符号化画像に対して第１のフィルタを用いて動き予測補償処理を行い、上記フレーム間双方向予測符号化画像に対しては、上記第１のフィルタよりタップ数の少ない第２のフィルタ、若しくは線形内挿を用いて動き予測補償処理を行うこと
を特徴とする画像情報符号化方法。
【請求項１０】
少なくともフレーム内符号化画像、フレーム間順方向予測符号化画像、及びフレーム間双方向予測符号化画像を含む入力画像信号を、直交変換と動き予測補償処理とにより符号化し、画像圧縮情報を生成する処理をコンピュータに実行させるプログラムにおいて、
上記フレーム間順方向予測符号化画像とフレーム間双方向予測符号化画像とに対して異なる補間方法に基づいた動き予測補償処理を行う動き予測補償ステップを有しており、
上記動き予測補償ステップは、上記フレーム間順方向予測符号化画像に対して第１のフィルタを用いて動き予測補償処理を行い、上記フレーム間双方向予測符号化画像に対しては、上記第１のフィルタよりタップ数の少ない第２のフィルタ、若しくは線形内挿を用いて動き予測補償処理を行うこと
を特徴とするプログラム。
【請求項１１】
画像情報符号化装置において生成された、少なくともフレーム内符号化画像、フレーム間順方向予測符号化画像、及びフレーム間双方向予測符号化画像を含む画像圧縮情報を、逆直交変換と動き予測補償処理とにより復号する画像情報復号装置において、
上記フレーム間順方向予測符号化画像とフレーム間双方向予測符号化画像とに対して異なる補間方法に基づいた動き予測補償処理を行う動き予測補償手段を備えており、
上記動き予測補償手段は、上記フレーム間順方向予測符号化画像に対して第1のフィルタを用いて動き予測補償処理を行い、上記フレーム間双方向予測符号化画像に対しては、上記第１のフィルタよりタップ数の少ない第２のフィルタ、若しくは線形内挿を用いて動き予測補償処理を行うこと
を特徴とする画像情報復号装置。
【請求項１２】
上記動き予測補償手段は、上記フレーム間双方向予測符号化画像に対する補間方法として、上記フレーム間順方向予測符号化画像よりも演算量及びメモリアクセス数が低減される方法を選択することを特徴とする請求項１１記載の画像情報復号装置。
【請求項１３】
上記動き予測補償手段は、上記フレーム間順方向予測符号化画像と上記フレーム間双方向予測符号化画像とで、動き予測補償処理の画素精度が同等であることを特徴とする請求項１１記載の画像情報復号装置。
【請求項１４】
上記動き予測補償手段は、上記フレーム間順方向予測符号化画像と上記フレーム間双方向予測符号化画像とで、異なる画素精度による動き予測補償処理が選択可能であることを特徴とする請求項１１記載の画像情報復号装置。
【請求項１５】
上記動き予測補償手段は、１／４画素精度の動き予測補償を行うものであり、
上記フレーム間順方向予測符号化画像に対しては、
｛１，−５，２０，２０，−５，１｝／３２
という６タップのフィルタ係数を用いて１／２画素精度の補間処理を行い、生成された画素に基づいて、線形内挿により１／４画素精度の補間処理を行うことを特徴とする請求項１１記載の画像情報復号装置。
【請求項１６】
上記動き予測補償手段は、上記フレーム間双方向予測符号化画像に対しては、線形内挿により１／４画素精度の動き予測補償処理を行うことを特徴とする請求項１１記載の画像情報復号装置。
【請求項１７】
上記動き予測補償手段は、上記フレーム間順方向予測符号化画像に対しては１／４画素精度の動き予測補償処理を行い、上記フレーム間双方向予測符号化画像に対しては１／２画素精度の動き予測補償処理を行うことを特徴とする請求項１４記載の画像情報復号装置。
【請求項１８】
上記フレーム間順方向予測符号化画像及び上記フレーム間双方向予測符号化画像のそれぞれに対して、動き予測補償処理の画素精度に関する情報が上記画像圧縮情報中のＲＴＰレイヤにおけるMotionResolutionフィールドに埋め込まれることを特徴とする請求項１４記載の画像情報復号装置。
【請求項１９】
画像情報符号化装置において生成された、少なくともフレーム内符号化画像、フレーム間順方向予測符号化画像、及びフレーム間双方向予測符号化画像を含む画像圧縮情報を、逆直交変換と動き予測補償処理とにより復号する画像情報復号方法において、
上記フレーム間順方向予測符号化画像とフレーム間双方向予測符号化画像とに対して異なる補間方法に基づいた動き予測補償処理を行う動き予測補償ステップを有しており、
上記動き予測補償ステップは、上記フレーム間順方向予測符号化画像に対して第１のフィルタを用いて動き予測補償処理を行い、上記フレーム間双方向予測符号化画像に対しては、上記第１のフィルタよりタップ数の少ない第２のフィルタ、若しくは線形内挿を用いて動き予測補償処理を行うこと
を特徴とする画像情報復号方法。
【請求項２０】
画像情報符号化装置において生成された、少なくともフレーム内符号化画像、フレーム間順方向予測符号化画像、及びフレーム間双方向予測符号化画像を含む画像圧縮情報を、逆直交変換と動き予測補償処理とにより復号する処理をコンピュータに実行させるプログラムにおいて、
上記フレーム間順方向予測符号化画像とフレーム間双方向予測符号化画像とに対して異なる補間方法に基づいた動き予測補償処理を行う動き予測補償ステップを有しており、
上記動き予測補償ステップは、上記フレーム間順方向予測符号化画像に対して第１のフィルタを用いて動き予測補償処理を行い、上記フレーム間双方向予測符号化画像に対しては、上記第１のフィルタよりタップ数の少ない第２のフィルタ、若しくは線形内挿を用いて動き予測補償処理を行うこと
を特徴とするプログラム。
【手続補正２】
【補正対象書類名】明細書
【補正対象項目名】００２４
【補正方法】変更
【補正の内容】
【００２４】
【課題を解決するための手段】
上述した目的を達成するために、本発明に係る画像情報符号化装置は、少なくともフレーム内符号化画像、フレーム間順方向予測符号化画像、及びフレーム間双方向予測符号化画像を含む入力画像信号を、直交変換と動き予測補償処理とにより符号化し、画像圧縮情報を生成する画像情報符号化装置において、上記フレーム間順方向予測符号化画像とフレーム間双方向予測符号化画像とに対して異なる補間方法に基づいた動き予測補償処理を行う動き予測補償手段を備えており、上記動き予測補償手段は、上記フレーム間順方向予測符号化画像に対して第１のフィルタを用いて動き予測補償処理を行い、上記フレーム間双方向予測符号化画像に対しては、上記第１のフィルタよりタップ数の少ない第２のフィルタ、若しくは線形内挿を用いて動き予測補償処理を行うことを特徴としている。
【手続補正３】
【補正対象書類名】明細書
【補正対象項目名】００２６
【補正方法】削除
【補正の内容】
【手続補正４】
【補正対象書類名】明細書
【補正対象項目名】００２８
【補正方法】変更
【補正の内容】
【００２８】
また、上述した目的を達成するために、本発明に係る画像情報符号化方法は、少なくともフレーム内符号化画像、フレーム間順方向予測符号化画像、及びフレーム間双方向予測符号化画像を含む入力画像信号を、直交変換と動き予測補償処理とにより符号化し、画像圧縮情報を生成する画像情報符号化方法において、上記フレーム間順方向予測符号化画像とフレーム間双方向予測符号化画像とに対して異なる補間方法に基づいた動き予測補償処理を行う動き予測補償ステップを有しており、上記動き予測補償ステップは、上記フレーム間順方向予測符号化画像に対して第１のフィルタを用いて動き予測補償処理を行い、上記フレーム間双方向予測符号化画像に対しては、上記第１のフィルタよりタップ数の少ない第２のフィルタ、若しくは線形内挿を用いて動き予測補償処理を行うことを特徴としている。
【手続補正５】
【補正対象書類名】明細書
【補正対象項目名】００３０
【補正方法】削除
【補正の内容】
【手続補正６】
【補正対象書類名】明細書
【補正対象項目名】００３２
【補正方法】変更
【補正の内容】
【００３２】
また、上述した目的を達成するために、本発明に係るプログラムは、少なくともフレーム内符号化画像、フレーム間順方向予測符号化画像、及びフレーム間双方向予測符号化画像を含む入力画像信号を、直交変換と動き予測補償処理とにより符号化し、画像圧縮情報を生成する処理をコンピュータに実行させるプログラムにおいて、上記フレーム間順方向予測符号化画像とフレーム間双方向予測符号化画像とに対して異なる補間方法に基づいた動き予測補償処理を行う動き予測補償ステップを有しており、上記動き予測補償ステップは、上記フレーム間順方向予測符号化画像に対して第１のフィルタを用いて動き予測補償処理を行い、上記フレーム間双方向予測符号化画像に対しては、上記第１のフィルタよりタップ数の少ない第２のフィルタ、若しくは線形内挿を用いて動き予測補償処理を行うことを特徴としている。
【手続補正７】
【補正対象書類名】明細書
【補正対象項目名】００３４
【補正方法】削除
【補正の内容】
【手続補正８】
【補正対象書類名】明細書
【補正対象項目名】００３６
【補正方法】変更
【補正の内容】
【００３６】
また、上述した目的を達成するために、本発明に係る画像情報復号装置は、画像情報符号化装置において生成された、少なくともフレーム内符号化画像、フレーム間順方向予測符号化画像、及びフレーム間双方向予測符号化画像を含む画像圧縮情報を、逆直交変換と動き予測補償処理とにより復号する画像情報復号装置において、上記フレーム間順方向予測符号化画像とフレーム間双方向予測符号化画像とに対して異なる補間方法に基づいた動き予測補償処理を行う動き予測補償手段を備えており、上記動き予測補償手段は、上記フレーム間順方向予測符号化画像に対して第1のフィルタを用いて動き予測補償処理を行い、上記フレーム間双方向予測符号化画像に対しては、上記第１のフィルタよりタップ数の少ない第２のフィルタ、若しくは線形内挿を用いて動き予測補償処理を行うことを特徴としている。
【手続補正９】
【補正対象書類名】明細書
【補正対象項目名】００３８
【補正方法】削除
【補正の内容】
【手続補正１０】
【補正対象書類名】明細書
【補正対象項目名】００４０
【補正方法】変更
【補正の内容】
【００４０】
また、上述した目的を達成するために、本発明に係る画像情報復号方法は、画像情報符号化装置において生成された、少なくともフレーム内符号化画像、フレーム間順方向予測符号化画像、及びフレーム間双方向予測符号化画像を含む画像圧縮情報を、逆直交変換と動き予測補償処理とにより復号する画像情報復号方法において、上記フレーム間順方向予測符号化画像とフレーム間双方向予測符号化画像とに対して異なる補間方法に基づいた動き予測補償処理を行う動き予測補償ステップを有しており、上記動き予測補償ステップは、上記フレーム間順方向予測符号化画像に対して第１のフィルタを用いて動き予測補償処理を行い、上記フレーム間双方向予測符号化画像に対しては、上記第１のフィルタよりタップ数の少ない第２のフィルタ、若しくは線形内挿を用いて動き予測補償処理を行うことを特徴としている。
【手続補正１１】
【補正対象書類名】明細書
【補正対象項目名】００４２
【補正方法】削除
【補正の内容】
【手続補正１２】
【補正対象書類名】明細書
【補正対象項目名】００４４
【補正方法】変更
【補正の内容】
【００４４】
また、上述した目的を達成するために、本発明に係るプログラムは、画像情報符号化装置において生成された、少なくともフレーム内符号化画像、フレーム間順方向予測符号化画像、及びフレーム間双方向予測符号化画像を含む画像圧縮情報を、逆直交変換と動き予測補償処理とにより復号する処理をコンピュータに実行させるプログラムにおいて、上記フレーム間順方向予測符号化画像とフレーム間双方向予測符号化画像とに対して異なる補間方法に基づいた動き予測補償処理を行う動き予測補償ステップを有しており、上記動き予測補償ステップは、上記フレーム間順方向予測符号化画像に対して第１のフィルタを用いて動き予測補償処理を行い、上記フレーム間双方向予測符号化画像に対しては、上記第１のフィルタよりタップ数の少ない第２のフィルタ、若しくは線形内挿を用いて動き予測補償処理を行うことを特徴としている。
【手続補正１３】
【補正対象書類名】明細書
【補正対象項目名】００４６
【補正方法】削除
【補正の内容】
【手続補正１４】
【補正対象書類名】明細書
【補正対象項目名】００９４
【補正方法】変更
【補正の内容】
【００９４】
【発明の効果】
以上詳細に説明したように、本発明に係る画像情報符号化装置は、少なくともフレーム内符号化画像、フレーム間順方向予測符号化画像、及びフレーム間双方向予測符号化画像を含む入力画像信号を、直交変換と動き予測補償処理とにより符号化し、画像圧縮情報を生成する画像情報符号化装置において、上記フレーム間順方向予測符号化画像とフレーム間双方向予測符号化画像とに対して異なる補間方法に基づいた動き予測補償処理を行う動き予測補償手段を備えており、上記動き予測補償手段は、上記フレーム間順方向予測符号化画像に対して第１のフィルタを用いて動き予測補償処理を行い、上記フレーム間双方向予測符号化画像に対しては、上記第１のフィルタよりタップ数の少ない第２のフィルタ、若しくは線形内挿を用いて動き予測補償処理を行うことを特徴としている。
【手続補正１５】
【補正対象書類名】明細書
【補正対象項目名】００９６
【補正方法】削除
【補正の内容】
【手続補正１６】
【補正対象書類名】明細書
【補正対象項目名】００９８
【補正方法】変更
【補正の内容】
【００９８】
また、本発明に係る画像情報符号化方法は、少なくともフレーム内符号化画像、フレーム間順方向予測符号化画像、及びフレーム間双方向予測符号化画像を含む入力画像信号を、直交変換と動き予測補償処理とにより符号化し、画像圧縮情報を生成する画像情報符号化方法において、上記フレーム間順方向予測符号化画像とフレーム間双方向予測符号化画像とに対して異なる補間方法に基づいた動き予測補償処理を行う動き予測補償ステップを有しており、上記動き予測補償ステップは、上記フレーム間順方向予測符号化画像に対して第１のフィルタを用いて動き予測補償処理を行い、上記フレーム間双方向予測符号化画像に対しては、上記第１のフィルタよりタップ数の少ない第２のフィルタ、若しくは線形内挿を用いて動き予測補償処理を行うことを特徴としている。
【手続補正１７】
【補正対象書類名】明細書
【補正対象項目名】０１００
【補正方法】削除
【補正の内容】
【手続補正１８】
【補正対象書類名】明細書
【補正対象項目名】０１０２
【補正方法】変更
【補正の内容】
【０１０２】
また、本発明に係るプログラムは、少なくともフレーム内符号化画像、フレーム間順方向予測符号化画像、及びフレーム間双方向予測符号化画像を含む入力画像信号を、直交変換と動き予測補償処理とにより符号化し、画像圧縮情報を生成する処理をコンピュータに実行させるプログラムにおいて、上記フレーム間順方向予測符号化画像とフレーム間双方向予測符号化画像とに対して異なる補間方法に基づいた動き予測補償処理を行う動き予測補償ステップを有しており、上記動き予測補償ステップは、上記フレーム間順方向予測符号化画像に対して第１のフィルタを用いて動き予測補償処理を行い、上記フレーム間双方向予測符号化画像に対しては、上記第１のフィルタよりタップ数の少ない第２のフィルタ、若しくは線形内挿を用いて動き予測補償処理を行うことを特徴としている。
【手続補正１９】
【補正対象書類名】明細書
【補正対象項目名】０１０４
【補正方法】削除
【補正の内容】
【手続補正２０】
【補正対象書類名】明細書
【補正対象項目名】０１０６
【補正方法】変更
【補正の内容】
【０１０６】
また、本発明に係る画像情報復号装置は、画像情報符号化装置において生成された、少なくともフレーム内符号化画像、フレーム間順方向予測符号化画像、及びフレーム間双方向予測符号化画像を含む画像圧縮情報を、逆直交変換と動き予測補償処理とにより復号する画像情報復号装置において、上記フレーム間順方向予測符号化画像とフレーム間双方向予測符号化画像とに対して異なる補間方法に基づいた動き予測補償処理を行う動き予測補償手段を備えており、上記動き予測補償手段は、上記フレーム間順方向予測符号化画像に対して第1のフィルタを用いて動き予測補償処理を行い、上記フレーム間双方向予測符号化画像に対しては、上記第１のフィルタよりタップ数の少ない第２のフィルタ、若しくは線形内挿を用いて動き予測補償処理を行うことを特徴としている。
【手続補正２１】
【補正対象書類名】明細書
【補正対象項目名】０１０８
【補正方法】削除
【補正の内容】
【手続補正２２】
【補正対象書類名】明細書
【補正対象項目名】０１１０
【補正方法】変更
【補正の内容】
【０１１０】
また、本発明に係る画像情報復号方法は、画像情報符号化装置において生成された、少なくともフレーム内符号化画像、フレーム間順方向予測符号化画像、及びフレーム間双方向予測符号化画像を含む画像圧縮情報を、逆直交変換と動き予測補償処理とにより復号する画像情報復号方法において、上記フレーム間順方向予測符号化画像とフレーム間双方向予測符号化画像とに対して異なる補間方法に基づいた動き予測補償処理を行う動き予測補償ステップを有しており、上記動き予測補償ステップは、上記フレーム間順方向予測符号化画像に対して第１のフィルタを用いて動き予測補償処理を行い、上記フレーム間双方向予測符号化画像に対しては、上記第１のフィルタよりタップ数の少ない第２のフィルタ、若しくは線形内挿を用いて動き予測補償処理を行うことを特徴としている。
【手続補正２３】
【補正対象書類名】明細書
【補正対象項目名】０１１２
【補正方法】削除
【補正の内容】
【手続補正２４】
【補正対象書類名】明細書
【補正対象項目名】０１１４
【補正方法】変更
【補正の内容】
【０１１４】
また、本発明に係るプログラムは、画像情報符号化装置において生成された、少なくともフレーム内符号化画像、フレーム間順方向予測符号化画像、及びフレーム間双方向予測符号化画像を含む画像圧縮情報を、逆直交変換と動き予測補償処理とにより復号する処理をコンピュータに実行させるプログラムにおいて、上記フレーム間順方向予測符号化画像とフレーム間双方向予測符号化画像とに対して異なる補間方法に基づいた動き予測補償処理を行う動き予測補償ステップを有しており、上記動き予測補償ステップは、上記フレーム間順方向予測符号化画像に対して第１のフィルタを用いて動き予測補償処理を行い、上記フレーム間双方向予測符号化画像に対しては、上記第１のフィルタよりタップ数の少ない第２のフィルタ、若しくは線形内挿を用いて動き予測補償処理を行うことを特徴としている。
【手続補正２５】
【補正対象書類名】明細書
【補正対象項目名】０１１６
【補正方法】削除
【補正の内容】